(57)【要約】【課題】薄型軽量の断熱材を用いて施工の合理化と、空調機と熱交換システムとを併用して快適な住環境を確保できる軽量断熱構造のエアコン付き家屋の提供。【解決手段】屋根１、外壁２、床４に、断熱性が大なる薄型軽量断熱材５、６、７を用いて外気との熱の授受を遮断し、屋根裏に空調機１１を備え、空調後の処理エアを屋根裏８、外壁２内、床４内の断熱材の内側及び間仕切り壁３内に形成される通気層となる各空間８、９、１０に送り込み、各室の天井の所定位置に処理エアを取り込むための室内給気扇１４、１５を設け、別体の換気装置１２、１３を各天井裏部に設けて各室の換気を行うように別体の換気装置と導管で接続した送気口１２ａ、１３ａと排気口１２ｂ、１３ｂを離隔した位置に配し、また換気装置には新鮮空気を取り込むための給気導管１２ｃ、１３ｃと各室の汚れた空気を排出するための排出導管１２ｄ、１３ｄを接続して成ることを特徴とする。【選択図】図１
0003117101.tif 000002
【実用新案登録請求の範囲】
【請求項１】
屋根、外壁、床に、断熱性が大で厚みの薄い薄型軽量断熱材を用いて外気との熱の授受を遮断し、屋根裏に空調機を備え、空調後の処理エアを屋根裏、外壁内、床内のそれぞれの断熱材の内側及び間仕切り壁内に形成される通気層となる各空間に送り込み、且つ各室の天井の所定位置に前記処理エアを取り込むための室内給気扇を設け、更に別体の換気装置を１階及び２階の天井裏部に設けて各室の換気を行うように前記室内給気扇とは別に前記換気装置本体と導管で接続した送気口と排気口を各室の天井の送気と排気が短絡しない程度に相互に離隔した位置に配するようにし、更にまた換気装置本体には外の新鮮空気を取り込むための給気導管と各室の汚れた空気を排出するための排出導管を接続して成ることを特徴とする軽量断熱構造のエアコン付き家屋。
【請求項２】
屋根の断熱構造を所定幅離間する第１層断熱材と第２層断熱材とからなる二層断熱構造としたことを特徴とする請求項１記載の軽量断熱構造のエアコン付き家屋。
【考案の詳細な説明】
【技術分野】
【０００１】
本考案は、軽量断熱構造のエアコン付き家屋に関する。
【背景技術】
【０００２】
従来、家屋の断熱方法は、グラスウールやロックウール或いは、発泡ウレタン、発泡スチロール、発泡ポリスチレン等の樹脂系の材料が多く一般的に用いられている。また、例えば戸建て住宅などでは居室や寝室を主体に空調機を設置しているのが通例である。
【考案の開示】
【考案が解決しようとする課題】
【０００３】
しかしながら、上述の従来例では、断熱効果の点から、どうしても断熱材の厚みが厚くなり、従って施工も面倒であり、更に空調設備の点でも、各室ごとに差があるために、居住性に問題があるのが通例である。
【０００４】
本考案は、上述の事情に鑑みて成されたもので、断熱効果が大で且つ厚みの極めて薄い薄型軽量の断熱材を用いることで、施工の合理化が図れ、また暖冷房空調機と、熱交換システムとを併用することで快適な住環境を確保できる軽量断熱構造のエアコン付き家屋を提供することを目的とする。
【課題を解決するための手段】
【０００５】
本考案は、下記構成を備えることにより上記課題を解決できるものである。
【０００６】
（１）屋根、外壁、床に、断熱性が大で厚みの薄い薄型軽量断熱材を用いて外気との熱の授受を遮断し、屋根裏に空調機を備え、空調後の処理エアを屋根裏、外壁内、床内のそれぞれの断熱材の内側及び間仕切り壁内に形成される通気層となる各空間に送り込み、且つ各室の天井の所定位置に前記処理エアを取り込むための室内給気扇を設け、更に別体の換気装置を１階及び２階の天井裏部に設けて各室の換気を行うように、前記室内給気扇とは別に前記換気装置本体と導管で接続した送気口と排気口を各室の天井の送気と排気が短絡しない程度に相互に離隔した位置に配するようにし、更にまた換気装置本体には外の新鮮空気を取り込むための給気導管と各室の汚れた空気を排出するための排出導管を接続して成る軽量断熱構造のエアコン付き家屋。
【０００７】
（２）屋根の断熱構造を所定幅離間する第１層断熱材と第２層断熱材とからなる二層断熱構造とした前項（１）記載の軽量断熱構造のエアコン付き家屋。
【考案の効果】
【０００８】
断熱効果が大で且つ厚みの極めて薄い薄型軽量の断熱材を用いることで、施工の合理化が図れ、また暖冷房空調機と、熱交換システムとを併用することで快適な住環境を確保できる軽量断熱構造のエアコン付き家屋を提供することが出来る。
【考案を実施するための最良の形態】
【０００９】
以下、本考案に係る軽量断熱構造のエアコン付き家屋の実施の形態を説明する。
【００１０】
図１（ａ）は、本考案に係る軽量断熱構造のエアコン付き家屋の全体構成を示す模式的説明図、（ｂ）は、図１（ａ）のＡ部詳細図、図２は、壁と床の取り合い部の要部構成の一例を示す水平断面図、図３は、壁と床の取り合い部の要部構成の一例を示す縦断面図、図４は、寒冷地仕様の壁構造の一例を示す説明図、（ａ）は縦断面図、（ｂ）は水平断面図、図５は、寒冷地仕様の床構造の一例を示す説明図、（ａ）は縦断面図、（ｂ）は水平断面図である。
【実施例】
【００１１】
例えば、在来工法による戸建て住宅の場合、図１（ａ）に示すように、屋根１、外壁２、床４に、断熱性が大で厚みの極めて薄い例えば８ｍｍ、または４ｍｍの薄型軽量断熱材５、６、７を用いて外気との熱の授受を遮断し、屋根裏に空調機１１を備え、空調後の処理エアを屋根裏内、外壁２内、間仕切り壁３内、床４内のそれぞれの断熱材の内側及び間仕切り壁３内に形成される通気路または通気層となる各空間（８、９、９−１、１０、１０−１）に送り込み、且つ各室の天井の所定位置に前記処理エアを取り込むための室内給気扇１４、１５を設け、更に別体の換気装置１２、１３を１階及び２階の天井裏部に設けて各室の換気を行うように、前記室内給気扇１４、１５とは別に前記換気装置１２、１３本体と導管で接続した送気口１２ａ、１３ａと排気口１２ｂ、１３ｂを各室の天井の送気と排気が短絡しない程度に相互に離隔した位置に配するようにし、更にまた換気装置１２、１３本体には外の新鮮空気を取り込むための給気導管１２ｃ、１３ｃと各室の汚れた空気を排出するための排出導管１２ｄ、１３ｄを接続して成ることを特徴とする。１１ａは空調機１１の例えば垂木２０に取り付けるための懸吊部材である。
【００１２】
尚、８は屋根裏の通気層、９、９−１は外壁２と間仕切壁３の縦通気層、１０、１０−１は１階及び２階の床通気層である。
【００１３】
また、屋根１の断熱構造を所定幅離間する第１層断熱材５ａと第２層断熱材５ｂとからなる二層断熱構造としたことを特徴としている。
【００１４】
図１（ｂ）に図１（ａ）の屋根の断面となるＡ部詳細図を示す。棟木２６、母屋２７及び不図示の軒桁上に所定ピッチ（例えばピッチ：４５５ｍｍ）で掛け渡した垂木２０の上に８ｍｍ厚の薄型軽量断熱材からなる第１層断熱材５ａを張設し、その上に押え垂木２１を所定ピッチで前記第１層断熱材５ａを押え込んで掛け渡し、更にその上に４ｍｍ厚の薄型軽量断熱材からなる第２層断熱材５ｂを張設し、その上に野地板２３の取り付け材となる胴縁２２を設け、その上に構造用合板からなる野地板２３を敷き詰め、その上に防水材となるアスファルト・ルーフィング２４を敷設し、その上に屋根材２５を敷設して仕上げる。
【００１５】
本実施例では、第１層断熱材５ａ（８ｍｍ厚）と第２層断熱材５ｂ（４ｍｍ厚）の二層断熱構造の離間幅を、押え垂木２１の寸法（３６×４０ｍｍ）で調節してある。
【００１６】
屋根１に第１層断熱材５ａ（８ｍｍ厚）と第２層断熱材５ｂ（４ｍｍ厚）の二層断熱構造を付加したことで、特に夏の気温の高い時期における断熱効果を高めることが出来、薄型軽量であるため、ロール状に巻き取った状態から簡単に敷設でき、取り扱い上極めて便利であり、したがって作業性、施工性に優れ、工期の短縮及びコスト削減が可能である。
【００１７】
図２は、壁と床の結合部の要部構成の一例を示す水平断面図であり、図３は、図２の縦断面図である。
【００１８】
図２、図３において、外壁２は、例えばラスモルタル、サイディング、軽量気泡コンクリート板、あるいは漆喰（しっくい）などの外壁仕上げ材（外装材）２ａと、外壁（外装）下張り材２ｂとなる構造用合板の内側且つ管柱５０、間柱５０ａ、及び胴縁（図示略）との間に薄型軽量断熱材６が張設され、前記管柱５０、間柱５０ａの内側に石膏ボード等の内装下地材６０ｂと内装仕上げ材６０ａが張設されている。そして床４を支持する土台２８に固設した大引き２９の上に床用の薄型軽量断熱材７を隙間なく張設し、その上から前記薄型軽量断熱材７を押え込むように根太３０を所定ピッチで配設し、その上に構造用合板からなる床用の下地材４ｂとフローリング、畳等の床仕上げ材４ａが張設または敷設される。
【００１９】
図３に示すように、上記の構造により屋根裏に設けられた空調機（エアコン）で空調された空調後の処理エアが薄型軽量断熱材６と内装下地材６０ｂとの間に形成される縦通気層９、及び薄型軽量断熱材７と床用の下地材４ｂとの間に形成される床通気層１０に通気され、夏期であれば、冷気が通気されて冷房効果を発揮し、冬期であれば、暖気が通気されて暖房効果を発揮し、当然２階の床下地材下部、及び１階の床下地材と断熱材の間の空間（通気層）には暖気が満たされ、床暖房が実現可能な構成となっている。
【００２０】
床下１００は不図示の床下換気口により、常に通風が得られ結露の発生を防止し、湿気から守るように構成されている。
【００２１】
４ｃは巾木であり、３１は基礎立ち上がり部、３１ａはアンカーボルトである。
【００２２】
本実施例で用いた断熱材は断熱性能が格段に大であるため、従来の断熱材に比べて厚みがほぼ１／７〜１／９以下で済み、その余裕部分を通気層とすることが出来る。
【００２３】
尚、換気装置１２、１３は、新鮮な外気を供給する給気と室内の汚れた空気を排出する排気とを同時に行う２４時間換気システムを構成する全熱交換型換気装置である。
【００２４】
（その他の実施例）
その他の実施例として、図４及び図５に示した寒冷地仕様の場合について以下に説明する。
【００２５】
図４（ａ）、（ｂ）は寒冷地仕様における壁構造の一例を示す縦断面図及び水平断面図である。第１の薄型軽量断熱材６−１の内側に管柱５０に添えて部材５０ｂを設け、この部材５０ｂに沿って第２の薄型軽量断熱材６−２を張設した例である。９−１は通気層であり、空気層を挟んで第１の薄型軽量断熱材６−１と第２の薄型軽量断熱材６−２との二層断熱構造としたことで、屋根裏の二層断熱構造と同様の効果を発揮できる。図５（ａ）、（ｂ）は寒冷地仕様における床構造の一例を示す縦断面図及び水平断面図である。第１の薄型軽量断熱材７−１の外側となる下方に大引き２９に添えて設けた部材２９ａに沿って第２の薄型軽量断熱材７−２を張設した例である。１０−１は通気層であり、空気層を挟んで第１の薄型軽量断熱材７−１と第２の薄型軽量断熱材７−２との二層断熱構造としたことで、前記壁断熱構造と同様の効果を発揮できる。その他の符号については、上述の実施例の説明と同様なので省略する。
【００２６】
尚、寒冷地仕様の場合、屋根だけでなく、外壁及び床についても二層断熱構造とし、通気層を内側の断熱材の室内側として説明したが、二層の断熱材の間を通気層とすることは自由である。
【図面の簡単な説明】
【００２７】
【図１】（ａ）本考案に係る軽量断熱構造のエアコン付き家屋の全体構成を示す模式的説明図、（ｂ）図１（ａ）のＡ部詳細図
【図２】壁と床の取り合い部の要部構成の一例を示す水平断面図
【図３】壁と床の取り合い部の要部構成の一例を示す縦断面図
【図４】寒冷地仕様の壁構造の一例を示す説明図、（ａ）縦断面図、（ｂ）水平断面図
【図５】寒冷地仕様の床構造の一例を示す説明図、（ａ）縦断面図、（ｂ）水平断面図
【符号の説明】
【００２８】
１  屋根
２  外壁
３  間仕切り壁
４  床
５、６、７  薄型軽量断熱材
５ａ  第１層断熱材
５ｂ  第２層断熱材
８  屋根裏（通気層）
９  外壁２の縦通気層
９−１  間仕切壁３の縦通気層
１０  １階の床通気層
１０−１  ２階の床通気層
１１  空調機
１２、１３  換気装置
１２ａ、１３ａ  送気口
１４、１５  室内給気扇
１２ｂ、１３ｂ  排気口
１２ｃ、１３ｃ  給気導管
１２ｄ、１３ｄ  排出導管
２０  垂木
２１  押え垂木
２２  胴縁
２３  野地板
２４  アスファルト・ルーフィング
２５  屋根材
２６  棟木
２７  母屋
２８  土台
２９  大引き
３０  根太
【図１】
0003117101.tif 000003
【図２】
0003117101.tif 000004
【図３】
0003117101.tif 000005
【図４】
0003117101.tif 000006
【図５】
0003117101.tif 000007